(57)【要約】      （修正有）【課題】厚みが薄い大版サイズのタイルをコンクリート躯体に強固に定着させることができる大版タイル付きコンクリートパネルおよびその施工法を提供する。【解決手段】大版タイル３の裏面３ａの一箇所にアンカー用ボルト４を取り付け、このアンカー用ボルト４の一端側に設けられている頭部（係止部）４ａを、大版タイル３とその裏面３ａに結合したバックガード７との間で保持させ、他端側をバックガード７を貫通した状態でコンクリート躯体２に埋設し、大版タイル３とバックガード７との相対する面にはそれぞれ、大版タイル３の厚み方向から見て頭部４ａを囲み、かつ、互いに対峙している環状溝３ｂ、６ａを設けて、これらの環状溝３ｂ、６ａ内に両方に跨るようにしてリングアンカー（環状の補強材）７を嵌め込み、大版タイル３およびバックガード７と、コンクリート躯体２との間には、ゴム弾性を有する絶縁層１０を設ける。【選択図】図１
2008267087.tif 000002
【特許請求の範囲】
【請求項１】
厚みが薄い大版サイズのタイルがコンクリート躯体に一体で定着されている大版タイル付きコンクリートパネルにおいて、
前記タイルの裏面の一箇所に定着用アンカーが取り付けられており、この定着用アンカーの一端側に設けられている係止部が、前記タイルとその前記裏面に結合されたアンカー取付板との間で保持され、他端側は前記アンカー取付板を貫通した状態で前記コンクリート躯体に埋設されており、前記タイルと前記アンカー取付板との相対する面にはそれぞれ、前記タイルの厚み方向から見て前記係止部を囲み、かつ、互いに対峙している環状溝が設けられ、これらの環状溝内に両方に跨るようにして環状の補強材が接着されており、前記タイルおよび前記アンカー取付板と、前記コンクリート躯体との間には、ゴム弾性を有する絶縁層が設けられていることを特徴とする大版タイル付きコンクリートパネル。
【請求項２】
前記タイルの前記裏面に、前記コンクリート躯体方向に突出し同コンクリート躯体に埋設されている前記タイルの保持部材が取り付けられており、この保持部材は少なくとも前記タイルと前記コンクリート躯体との間に位置する部分に弾力性を備えていることを特徴とする請求項１記載の大版タイル付きコンクリートパネル。
【請求項３】
前記保持部材としてコイル状スプリングが用いられており、このコイル状スプリングの一端部が前記タイルの前記裏面に固定され、前記コイル状スプリングの外側には、環状のカバーゴムが前記タイルの前記裏面に当接した状態で装着されており、前記カバーゴムの内側には、硬化後にゴム弾性を有する液状剤が充填されていることを特徴とする請求項２記載の大版タイル付きコンクリートパネル。
【請求項４】
前記環状溝および前記環状の補強材が円環状になっていることを特徴とする請求項１〜３のいずれかに記載の大版タイル付きコンクリートパネル。
【請求項５】
前記タイルが角形に形成されており、前記定着用アンカーが前記各タイルの前記裏面中央に配置され、かつ、前記保持部材が前記裏面の四隅にそれぞれ配置されていることを特徴とする請求項２〜４のいずれかに記載の大版タイル付きコンクリートパネル。
【請求項６】
前記タイルの大きさが約３００ｍｍ角以上であることを特徴とする請求項１〜５のいずれかに記載の大版タイル付きコンクリートパネル。
【請求項７】
厚みが薄い大版サイズのタイルとコンクリート躯体とを一体で定着させる大版タイル付きコンクリートパネルの施工法であって、
前記タイルの裏面の一箇所に第一環状溝を形成する一方、アンカー取付板の一面に前記第一環状溝と対応する第二環状溝を形成するとともに、この第二環状溝の内側に貫通孔を形成し、前記タイルの前記裏面に、一端部に設けている係止部を前記第一環状溝の内側に接着して定着用アンカーを取り付け、前記第一環状溝に環状の補強材を嵌め込み前記タイルの前記裏面から突出した状態で接着し、次に、前記アンカー取付板の前記一面を前記タイルの前記裏面に接着することにより、前記貫通孔に前記定着用アンカーを挿通させるとともに、前記第二環状溝に前記環状の補強材を嵌め込み前記環状の補強材が前記第一環状溝と前記第二環状溝とに跨った状態で接着し、かつ、前記定着用アンカーを前記係止部を前記タイルと前記アンカー取付板との間に保持させて、他端側を前記貫通孔から突出させた状態にして、その後、前記タイルの前記裏面と前記アンカー取付板の表面とに絶縁層を形成する裏面処理剤を塗布し、それから、所定枚数の前記タイルを前記裏面を上にして型枠内に敷設し、目地部にシーリングを行った後に配筋を施してコンクリートを打設し、同コンクリート養生後に脱型することを特徴とする大版タイル付きコンクリートパネルの施工法。
【請求項８】
前記第一環状溝および前記第二環状溝を円環状に設ける一方、前記環状の補強材を円環状に形成するとともに、その一部に切れ目を形成することを特徴とする請求項７記載の大版タイル付きコンクリートパネルの施工法。
【請求項９】
タイルの裏面に凹状の取付孔を形成して、この取付孔に保持部材としてコイル状スプリングの一端部を嵌め込んで接着し、前記コイル状スプリングの外側に環状のカバーゴムを、前記タイルの前記裏面に当接した状態で装着し、前記カバーゴム内に前記裏面処理剤を充填した状態にして、前記コンクリートを打設することを特徴とする請求項７または８記載の大版タイル付きコンクリートパネルの施工法。
【請求項１０】
前記タイルの大きさを約３００ｍｍ角以上とすることを特徴とする請求項７〜９のいずれかに記載の大版タイル付きコンクリートパネルの施工法。
【発明の詳細な説明】
【技術分野】
【０００１】
本発明は、大版のタイルをコンクリートパネルに一体に設けた大版タイル付きコンクリートパネルとその施工法に関する技術である。
【背景技術】
【０００２】
従来のタイル付きコンクリートパネルは、例えば、タイルを型枠内にあらかじめ敷設し、その後配筋を施して生コンクリートを打設し製造されるものがある。この工法は直打ちＰＣａ工法と呼ばれており、敷設するタイルの裏面は凹凸状に形成されて裏足と呼ばれる複数条のあり状の溝が設けられており、これらの裏足がコンクリート躯体に食い込んだ状態になることで、その摩擦力によりタイルがコンクリート躯体に定着される（例えば、特許文献１参照）。
【０００３】
このような、直打ちＰＣａ工法で製造されたタイル付きコンクリートパネルは、気温や日射等の影響を受け熱膨張による変形を起こす場合がある。通常、コンクリート躯体の熱膨張率はタイルよりも高く、コンクリート躯体よりも変形量が少ないタイルにストレスがかかり割れるおそれがあるため、タイルは熱膨張差の影響を受けにくい約３００ｍｍ角に満たない小さいサイズのものが用いられている。
【０００４】
一方、大版のタイルを用いる場合は、タイルの裏面に、絶縁層を形成する裏面処理剤を塗布するとともに、変形しやすい定着金物を固定し、配筋を施した後にコンクリートを打設して、定着金物をコンクリート躯体に埋設させることにより、タイルをコンクリート躯体に定着させている。このように形成されたタイル付きコンクリートパネルは、熱膨張差によるタイルのストレスを絶縁層と定着金物によって緩和することができる。大版のタイルは剥落すると大きな事故に繋がる危険性があるため、特に、外壁として用いる場合には２〜３階までの低層部分に用いられるのが一般的である。
【特許文献１】特開平７−１１２４１５号公報（第２頁、第２図）
【発明の開示】
【発明が解決しようとする課題】
【０００５】
上記のように定着金物を取り付けるためにはタイルの厚みがある程度必要で（目安としては１５ｍｍを超える厚み）、厚みが薄いタイルには定着金物を取り付けることが難しく、大版で使用することができない不便さがある。
【０００６】
そこで本発明は、厚みが薄い大版サイズのタイルをコンクリート躯体に強固に定着させることができる大版タイル付きコンクリートパネルおよびその施工法を提供することを目的としている。
【課題を解決するための手段】
【０００７】
請求項１記載の大版タイル付きコンクリートパネルは、厚みが薄い大版サイズのタイルがコンクリート躯体に一体で定着されている大版タイル付きコンクリートパネルにおいて、前記タイルの裏面の一箇所に定着用アンカーを取り付け、この定着用アンカーの一端側に設けられている係止部を、前記タイルとその前記裏面に結合したアンカー取付板との間で保持させ、他端側を前記アンカー取付板を貫通した状態で前記コンクリート躯体に埋設し、前記タイルと前記アンカー取付板との相対する面にはそれぞれ、前記タイルの厚み方向から見て前記係止部を囲み、かつ、互いに対峙している環状溝を設けて、これらの環状溝内に両方に跨るようにして環状の補強材を接着し、前記タイルおよび前記アンカー取付板と、前記コンクリート躯体との間には、ゴム弾性を有する絶縁層を設けることを特徴としている。
【０００８】
この請求項１記載の大版タイル付きコンクリートパネルによれば、前記アンカー取付板と前記タイルとの結合を、前記環状の補強材によって強化しているため、これらの間で前記係止部が保持されている前記定着用アンカーを、堅牢にすることができる。しかも、前記タイルの裏面に前記アンカー取付板を結合し、前記環状の補強材を嵌め込む前記環状溝を、前記タイルと前記アンカー取付板との両方に形成しているため、厚みが薄い前記タイルに対しても前記アンカー取付板をしっかりと結合させることができる。したがって、厚みが薄い大版サイズの前記装飾版を前記コンクリート躯体に対し強固に定着させることができるのである。さらに、前記環状の補強材は前記タイルと前記アンカー取付板との両方の前記環状溝に跨った状態で嵌め込まれているために、前記タイルと前記アンカー取付板との間に生じるせん断力に対し高い強度を示す。つまり、前記タイルと前記コンクリート躯体との間に生じるせん断力に対する強度を高めることができる。しかも、前記定着用アンカーは一箇所に設けられているので、前記タイルの熱膨張による変形が拘束されず、かつ、前記絶縁層によって前記コンクリート躯体との熱膨張差によって前記タイルにかかるストレスを緩和することができる。
【０００９】
なお、厚みが薄い大版サイズのタイルとは、目安として大きさが約３００ｍｍ角〜６００角で厚みが１５ｍｍ以下のサイズのものを示す。また、前記環状の補強材は、材質は問わないが金属性が好ましい。特に、耐腐食性や機械的性質に優れているステンレスが好適であるし、角形や円形、楕円形など様々な形状とすることができ、全周が完全に繋がっている必要もない。つまり、一部に切れ目を設けた形状とすることも可能である。
【００１０】
請求項２記載の大版タイル付きコンクリートパネルは、コンクリート躯体方向に突出し同コンクリート躯体に埋設されているタイルの保持部材を取り付け、この保持部材には少なくとも前記タイルと前記コンクリート躯体との間に位置する部分に弾力性を具備させることを特徴としている。
【００１１】
この請求項２の大版タイル付きコンクリートパネルによれば、前記タイルが前記定着用アンカーと前記保持部材との少なくとも二点で前記コンクリート躯体に定着された状態になるため、前記タイルの前記定着用アンカーを中心とした回転が拘束されるため、前記タイルと前記コンクリートパネルとの間に上記回転によるせん断力が生じないようにすることができる。しかも、前記保持部材は、少なくとも前記タイルと前記コンクリート躯体との間に位置する部分に弾力性を備えているため、前記コンクリート躯体との熱膨張差による前記タイルにかかるストレスを緩和することができる。さらに、前記タイルの厚み方向の引張力に対する強度も強化することができるし、前記タイルが割れた場合に前記定着用アンカーだけでなく、前記保持部材によっても割れた前記タイルを前記コンクリート躯体に保持させて落下を防ぐことができる。
【００１２】
請求項３記載の大版タイル付きコンクリートパネルは、保持部材としてコイル状スプリングを用い、このコイル状スプリングの一端部をタイルの裏面に固定して、前記コイル状スプリングの外側に、環状のカバーゴムを前記タイルの前記裏面に当接した状態で装着し、前記カバーゴムの内側に、硬化後にゴム弾性を有する液状剤を充填することを特徴としている。
【００１３】
この請求項３の大版タイル付きコンクリートパネルによれば、前記カバーゴムとその内側に充填された前記液状剤によって、前記コイル状スプリングの前記一端部が前記コンクリート躯体に埋没することを回避することができる。これにより、前記コイル状スプリングの前記一端部の弾性が損なわれず、前記コンクリート躯体との熱膨張差による前記タイルにかかるストレスを緩和することができる。
【００１４】
請求項４記載の大版タイル付きコンクリートパネルは、環状溝および環状の補強材を円環状にすることを特徴としている。この請求項４の大版タイル付きコンクリートパネルによれば、前記環状溝を円環状にするとともに前記環状の補強材を円環状にすることによって、前記タイルと前記アンカー取付板との間に生じるせん断力が、どのような方向から働いても一様に強度を発揮させることができる。また、せん断力による応力集中が起こりにくくなる。これにより、前記タイルと前記コンクリート躯体との間に生じるせん断力に対する強度を増すことができる。
【００１５】
請求項５記載の大版タイル付きコンクリートパネルは、タイルを角形にし、定着アンカーを前記各タイルの裏面中央部に配置し、かつ、保持部材を前記裏面の四隅にそれぞれ配置することを特徴としている。
【００１６】
この請求項５の大版タイル付きコンクリートパネルによれば、前記定着用アンカーが前記タイルの重心の位置に取り付けられることになり、前記タイルを前記コンクリート躯体に安定した状態で定着させることができる。また、前記タイルの前記裏面の四隅に前記保持部材を配置することで、前記タイルの前記定着用アンカーを中心とした回転を効果的に拘束することができ、前記タイルと前記コンクリートパネルとの間に上記回転によるせん断力が生じないようにすることができる。そして、前記タイルが割れた場合に前記定着用アンカーだけでなく、四隅の前記保持部材によっても割れた前記タイルを前記コンクリート躯体に保持させて落下を防ぐことができる。
【００１７】
請求項６記載の大版タイル付きコンクリートパネルは、タイルの大きさを約３００ｍｍ角以上にすることを特徴としている。この請求項６の大版タイル付きコンクリートパネルによれば、大きさが約３００ｍｍ角以上の大版タイルであっても、前記コンクリートパネルに対して強固に定着させることができる。
【００１８】
請求項７の大版タイル付きコンクリートパネルの施工法は、厚みが薄い大版サイズのタイルとコンクリート躯体とを一体で定着させる大版タイル付きコンクリートパネルの施工法であって、前記タイルの裏面に第一環状溝を形成する一方、アンカー取付板の一面に前記第一環状溝と対応する第二環状溝を形成するとともに、この第二環状溝の内側に貫通孔を形成し、前記タイルの前記裏面の一箇所に、一端部に設けている係止部を前記第一環状溝の内側に接着して定着用アンカーを取り付け、前記第一環状溝に環状の補強材を嵌め込み前記タイルの前記裏面から突出した状態で接着し、次に、前記アンカー取付板の前記一面を前記タイルの前記裏面に接着することにより、前記貫通孔に前記定着用アンカーを挿通させるとともに、前記第二環状溝に前記環状の補強材を嵌め込み前記環状の補強材が前記第一環状溝と前記第二環状溝とに跨った状態にし、かつ、前記定着用アンカーを前記係止部を前記タイルと前記アンカー取付板との間に保持させて、他端側を前記貫通孔から突出させた状態にして、その後、前記タイルの前記裏面と前記アンカー取付板の表面とに絶縁層を形成する裏面処理剤を塗布し、それから、所定枚数の前記タイルを前記裏面を上にして型枠内に敷設し、目地部にシーリングを行った後に配筋を施してコンクリートを打設し、前記コンクリート養生後に脱型することを特徴としている。
【００１９】
この請求項７の大版タイル付きコンクリートパネルの施工法は、前記アンカー取付板と前記タイルとの結合を、前記環状の補強材によって強化することができるため、これらの間に前記係止部を保持させている前記定着用アンカーを堅牢にすることができる。しかも、前記タイルの前記裏面に前記アンカー取付板を結合し、前記環状の補強材を嵌め込む前記第一環状溝および前記第二環状溝を、前記タイルと前記アンカー取付板とにそれぞれ形成するため、厚みが薄い前記タイルに対しても前記アンカー取付板をしっかりと結合させることができる。これにより、厚みが薄い大版の前記装飾版を前記コンクリート躯体に対し強固に定着させることができる。さらに、前記環状の補強材を前記タイルの前記第一環状溝と前記アンカー取付板の前記第二環状溝とに跨った状態で嵌め込むため、前記タイルと前記コンクリート躯体との間に生じるせん断力に対する強度を高めることができる。即ち、前記タイルと前記コンクリート躯体との間に生じるせん断力に対する強度を高めることができる。そして、前記定着用アンカーを一箇所に設けているので、前記タイルの熱膨張による変形が拘束されず、かつ、前記絶縁層によって前記コンクリート躯体との熱膨張差によって前記タイルにかかるストレスを緩和することができる。
【００２０】
請求項８の大版タイル付きコンクリートパネルの施工法は、第一環状溝および第二環状溝を円環状に設ける一方、前記環状の補強材を円環状に形成するとともに、その一部に切れ目を形成することを特徴としている。
【００２１】
この請求項８の大版タイル付きコンクリートパネルの施工法によれば、前記切れ目によって前記環状の補強材の径を多少変更することが可能になるため、前記第一環状溝及び前記第二環状溝との間の寸法誤差を吸収し前記環状の補強材を嵌め込むことができる。
【００２２】
請求項９の大版タイル付きコンクリートパネルの施工法は、タイルの裏面に凹状の取付孔を形成して、この取付孔に保持部材としてコイル状スプリングの一端部を嵌め込んで接着し、前記コイル状スプリングの外側に環状のカバーゴムを、前記タイルの前記裏面に当接した状態で装着し、前記カバーゴム内に前記裏面処理剤を充填した状態にして、前記コンクリートを打設することを特徴としている。
【００２３】
この請求項９の大版タイル付きコンクリートパネルの施工法によれば、前記タイルが前記定着用アンカーと前記保持部材との少なくとも二点で前記コンクリート躯体に定着された状態になるため、前記タイルの前記定着用アンカーを中心とした回転を拘束することができ、前記タイルと前記コンクリートパネルとの間に上記回転によるせん断力が生じないようにすることができる。また、前記保持部材によって前記タイルの厚み方向の引張力に対する強度を高めることができる。しかも、前記カバーゴムとその内側に前記液状剤を充填することで、前記コイル状スプリングの前記一端部が前記コンクリート躯体に埋没することを回避することができるため、前記コンクリート躯体との熱膨張差による前記タイルにかかるストレスを緩和することができる。
【００２４】
請求項１０記載のタイル付きコンクリートパネルの施行法は、タイルの大きさを約３００ｍｍ角以上にすることを特徴としている。この請求項１０のタイル付きコンクリートパネルによれば、大きさが約３００ｍｍ角以上の大版タイルが強固に定着されているタイル付きコンクリートパネルを得ることができる。
【発明の効果】
【００２５】
請求項１の大版タイル付きコンクリートパネルは、厚みが薄い大版のタイルがコンクリート躯体に強固に定着されているため、割れや剥落等のおそれがなく、建造物の上層階の外壁など高い場所に用いることができる。
【００２６】
請求項２および３の大版タイル付きコンクリートパネルは、タイルが回転することによるコンクリート躯体との間にせん断力による破壊が生じにくくなるため、剥落等の事故の発生が回避でき安全性を高めることできる。これに加えて、タイルの割れも防ぐことができる。また、タイルが割れたとしても、割れたタイルを定着用アンカーと保持部材とでコンクリート躯体に保持しておくことができるため剥落しにくく、安全性の高いものとなる。
【００２７】
請求項４の大版タイル付きコンクリートパネルは、タイルとコンクリート躯体との間に生じるせん断力に対して高い強度を備えているため、タイルが剥落するおそれがなく、安全性を高めることができる。
【００２８】
請求項５の大版タイル付きコンクリートパネルは、タイルがコンクリート躯体に対して安定した状態で定着され、かつ、熱膨張差によって生じるストレスが緩和されるため、タイルの剥落や割れ等が発生しにくく、安全性が向上する。
【００２９】
請求項６の大版タイル付きコンクリートパネルは、厚みが薄くて大版の輸入タイルを用いても剥落のおそれがなく、安心して壁材として使用することができる。
【００３０】
請求項７の大版タイル付きコンクリートパネルの施工法は、厚みが薄い大版のタイルが定着された、建造物の上層階の外壁など高い場所に用いることができる安全性が高いタイル付きコンクリートパネルの提供が可能になる。しかも、工場等において製作することができるため、天候等に左右されず、高品質のコンクリートパネルの提供が可能になる。
【００３１】
請求項８の大版タイル付きコンクリートパネルの施工法は、環状の補強材と第一環状溝及び第二環状溝との寸法誤差に対応することができるので、設計製作が容易になる。
【００３２】
請求項９の大版タイル付きコンクリートパネルの施工法は、厚みが薄い大版のタイルが定着された、建造物の上層階の外壁など高い場所に用いることができる、高い安全性を備えたタイル付きコンクリートパネルの提供が可能になる。
【００３３】
請求項１０の大版タイル付きコンクリートパネルの施工法は、厚みが薄くて大版のタイル、例えば、大版の輸入タイルが定着されていても剥落等のおそれがなく、安心して壁材として使用することができるコンクリートパネルの提供が可能になる。
【発明を実施するための最良の形態】
【００３４】
本発明にかかる大版タイル付きコンクリートパネルおよびその施工法の実施形態について図面１〜４を参照しながら説明する。
【００３５】
大版タイル付きコンクリートパネル１は、配筋されているコンクリート躯体２の表面に複数枚の大版タイル３が一体成形された建造物の外壁等に用いる鉄筋コンクリート板である。
【００３６】
各大版タイル３はポルトガル製で縦２９８ｍｍ×横５９６ｍｍ×厚み９．２ｍｍの大きさの角形に形成され、裏面に取り付けたアンカー用ボルト（定着用アンカー）４によってコンクリート躯体２に定着されている。このアンカー用ボルト４は、Ｍ８×全長６０ｍｍの全ねじ（頭部径１２ｍｍ×頭部高さ４ｍｍ、首下５６ｍｍ）が用いられており、先端部には抜け防止用のナット５が螺合され、大版タイル３の裏面３ａに次のように取り付けられている。大版タイル３の裏面３ａには、そのセンターを中心とする外径４２ｍｍ×内径３８ｍｍ×深さ５ｍｍの第一環状溝３ｂが形成され、かつ、第一環状溝３ｂの中心部にはアンカー用ボルト４の頭部（係止部）４ａをはめ込むための直径１２ｍｍ×深さ５ｍｍの埋め込み孔３ｃが形成されている。また、アンカー用ボルト４を固定するためのタイル製のバックガード（アンカー取付板）６が設けられており、その大きさは５０ｍｍ角の正方形で９．６ｍｍの厚みを有している。バックガード６の一面にはそのセンターを中心とする外径４２ｍｍ×内径３８ｍｍ×深さ５ｍｍの第二環状溝６ａが形成され、第二環状溝６ａの中心部に直径１０ｍｍの貫通孔６ｂが設けられている。
【００３７】
そして、大版タイル３の裏面３ａの埋め込み孔３ｃにアンカー用ボルト４の頭部４ａがエポキシ樹脂系の接着剤（淡白色粘稠液）で接着されるとともに、第一環状溝３ｂに円環状のリングアンカー（環状の補強材）７が嵌め込まれ接着されている。リングアンカー７は外形４０ｍｍ×内径３８ｍｍ×高さ９．５ｍｍのステンレス製で、一箇所に環状溝３ｂとの寸法誤差に対処するための切れ目７ａが形成されて（図２）、その径を多少変更できるようになっている。このように形成されているリングアンカー７が、その高さ方向の半分程度を第一環状溝３ｂに嵌め込んだ状態で接着されている。それから、バックガード６が、その第二環状溝６ａを形成している面と大版タイル３の裏面３ａとを対面させて、貫通孔６ｂにアンカー用ボルト４を貫通させ、かつ、リングアンカー７の大判タイル３の裏面３ａから突出している部分を第二環状溝６ａに嵌め込んだ状態で大版タイル３の裏面３ａに接着されている。
【００３８】
このようにして大版タイル３に取り付けられたアンカー用ボルト４の先端部にナット５が螺合されている。アンカー用ボルト４はその頭部４ａが大版タイル３とバックガード６との間で保持され、大版タイル３とバックガード６とがそれぞれの第一環状溝３ｂおよび第二環状溝６ａに跨るようにして嵌め込まれているリングアンカー７を介してしっかりと結合された状態になっているため、大版タイル３の裏面３ａに強固に取り付けられた状態になっている。
【００３９】
一方、大版タイル３の裏面３ａの四隅には保持部材用のスプリングアンカー８がそれぞれ取り付けられている。各スプリングアンカー８はステンレス製で長さ５３ｍｍ×外径１３ｍｍのものが用いられており次のように取り付けられている。大版タイル３の裏面３ａの四隅にはそれぞれ直径１３ｍｍ×深さ２ｍｍの取付孔３ｄが形成されており、各取付孔３ｄにスプリングアンカー８の一端部が嵌め込まれエポキシ樹脂系接着剤で接着されている。これらの各スプリングアンカー８には外径１５ｍｍ×内径１３ｍｍ×高さ１０ｍｍのゴムリング９が外側に装着されており、各ゴムリング９は大版タイル３の裏面３ａに当接した状態で配置されている。
【００４０】
このようにしてアンカー用ボルト４およびスプリングアンカー８を取り付けた大版タイル３を、アンカー用ボルト４および四隅のスプリングアンカー８をコンクリート躯体２に埋設させることにより、コンクリート躯体２の表面２ａに定着させている。大版タイル３及びバックガード６とコンクリート躯体２との間には、ポリマー変性エポキシ樹脂系の裏面処理剤（白色流動状）からなる絶縁層１０が設けられている。なお、裏面処理剤は接着性も兼ね備えている。この絶縁層１０はゴム弾性を有しており、コンクリート躯体２との熱膨張差による大版タイル３のストレスを緩和することができる。また、裏面処理剤はスプリングアンカー８に装着されているゴムリング９の内側にも充填されており、スプリングアンカー８の大版タイル３側の端部がコンクリート躯体２に埋設されることを回避している。これにより、上記ストレスをスプリングアンカー８の弾力性によっても緩和できるようになっている。これらのスプリングアンカー８は、アンカー用ボルト４と同様、大版タイル３をコンクリート躯体２に定着させる機能も備えている。
【００４１】
この大版タイル付きコンクリートパネル１は、大版タイル３とバックガード６との結合強度がリングアンカー８によって高められているため、大版タイル３からアンカー用ボルト４が外れにくく、しかも、アンカー用ボルト４には抜け防止用のナット５が螺合されるとともに、四隅のスプリングアンカー８がコンクリート躯体２に埋設された状態になっているため、大版タイル３をその厚み方向の引張力に対して高い強度を示す。
【００４２】
また、リングアンカー７を大版タイル３の第一環状溝３ｂとバックガード６の第二環状溝６ａとに跨った状態で嵌め込む構造であるために、厚みが薄いタイルに対応可能になっている。ちなみに、従来の国内汎用大型タイルの厚さは約１３ｍｍなのに対して本実施形態の大版タイル３の厚みは９．２ｍｍである。
【００４３】
そして、リングアンカー７が第一環状溝３ｂと第二環状溝６ａとに跨った状態になっているため、大版タイル３とコンクリート躯体２との間に生じるせん断力に対しても高い強度を示し、また、リングアンカー７は円環状であるため、あらゆる方向から作用するせん断応力に対しても一様に強度を発揮し、かつ、応力集中を回避することができるため、せん断力に対する強度は高い。
【００４４】
したがって、大版パネル３がコンクリート躯体２に強固に定着し、大版タイル３とコンクリート躯体２との間に熱膨張差が生じても、大版パネル３が剥落したり割れたりする危険がなく、安全性が高い大版タイル付きコンクリートパネル１となっている。
【００４５】
このようなタイル付きコンクリートパネルを、例えば、ビルの外壁に用いた場合、気温や強い日射等によりタイルとコンクリート躯体との間に温度差が生じる。タイルとコンクリート躯体とは熱膨張率が異なるため、通常、熱膨張率が高いコンクリート躯体の方がより大きく変形してタイルにストレスがかかり割れや剥落を生じることがある。特に、厚みが薄いタイルの場合は割れや剥落が起こりやすいが、本実施形態の大版タイル付きコンクリートパネル１のように、大版パネル３の一箇所に堅牢なアンカー用ボルト４を設けることができれば大版パネル３がコンクリート躯体２に対して拘束されないので、割れが生じにくい。また、上記ストレスの影響を絶縁層１０やスプリングアンカー８によって緩和することができるので割れの発生を効果的に抑えることができる。
【００４６】
また、大版タイル３はアンカー用ボルト４及びスプリングアンカー８によって剥離しにくくなっており、剥落などの事故の危険性がなく、上層階の外壁等に安心して施工することができる。また、仮に大版タイル３が割れたとしても、割れた大版タイル３をアンカー用ボルト４とスプリングアンカー８とでコンクリート躯体２に保持しておくことができるため、割れた大版タイル３が剥落するような事故が起こりにくい。
【００４７】
次に、上記大版タイル付きコンクリートパネル１の施工法について説明する。
【００４８】
大版タイル３の裏面３ａに、そのセンターを中心としてリングアンカー７用の第一環状溝３ｂをボール盤によって形成するとともに、この第一環状溝３ｂの中心部にアンカー用ボルト４の埋め込み孔３ｃを形成する。さらに、四隅にスプリングアンカー８用の取付孔３ｄをそれぞれ形成する。一方、バックガード６の一面に、そのセンターを中心としてリングアンカー７用の第二環状溝６ａをボール盤で形成するとともに、中心部にアンカー用ボルト４を貫通させる貫通孔６ｂを形成する。
【００４９】
次に、大版タイル３の裏面３ａの環状溝３ｂと埋め込み孔３ｃおよび取付孔３ｄに接着剤を塗布し、第一環状溝３ｂにリングアンカー７を嵌め込んで接着する。この際、リングアンカー７と第一環状溝３ｂとの間に寸法誤差が生じている場合でも、リングアンカー７に設けた切り目７ａで径を多少調整して取り付けることができる。取り付けられたリングアンカー７は、その高さ方向の半分程度が、大版タイル３の裏面３ａから突出した状態になっている。
【００５０】
そして、埋め込み孔３ｃにアンカー用ボルト４の頭部４ａを嵌め込んで接着したのち、バックガード６を大版タイル３の裏面３ａに、第二環状溝６ａが形成されている側の面を大版タイル３の裏面３ａと対向させ、貫通孔６ｂにアンカー用ボルト４を挿通させた状態にして第二環状溝６ａをリングアンカー７に嵌め込み接着する。その後、大版タイル３の裏面３ａの四隅に形成した取付孔３ｄに接着剤を塗布し、スプリングアンカー８の一端部を嵌め込んで接着する。
【００５１】
それから、大版タイル３の裏面３ａの埃等を除去した後に周囲にマスキングテープ（図示せず）を張り、裏面処理剤をヘラ等で均一に塗布する。この際、バックガード６の表面にも裏面処理剤を均一に塗布する。そして、スプリングアンカー８の外側にゴムリング９を装着して、ゴムリング９を大版タイル３の裏面３ａに当接した状態にし、その内側にも裏面処理剤を充填する。
【００５２】
このように、アンカー用ボルト４及びスプリングアンカー８を取り付けた大版タイル３を、型枠１１に当てないようにして型枠１１内に順番に並べてセットする。この際、アンカー用ボルト４やスプリングアンカー８で大版タイル３を吊り上げたりすることがないようにし、大版タイル３の割付図に従い目地巾、目地通りに注意してセットを行う。
【００５３】
大版タイル３のセットが終了すれば、目地巾に合わせてバックアップ材１２を大版タイル３間（目地部）にセットする。そして、二次シールとしてシーリング材１３をコーキングガンで目地部に注入し、ヘラ等で押えて表面を大版タイルの裏面と均一にする。この際、シーリング材が裏面処理剤に５〜１０ｍｍ程度重なるようにして仕上げる（図４（ａ））。
【００５４】
目地部の処理が終了すれば、アンカー用ボルト４及びスプリングアンカー８に衝撃を加えないように注意して鉄筋１４を敷設する（図４（ｂ））。そして、型枠１１に生コンクリートを打設し６０℃以下で蒸気養生を行い（図４（ｃ））、コンクリート躯体２の強度を確認したのちに大版タイル３に衝撃が加わらないように注意して脱型する（図４（ｄ））。
【００５５】
脱型した大版タイル付きコンクリートパネル１の大版タイル３の表面３ｅにマスキングテープ（図示せず）を貼り、目地部に一次シールとしてシーリング材１５を注入する。一次シールで使用するシーリング材１５は、接着耐久性や耐候性等に優れたポリサルファイド系が望ましい。シーリング材１５が硬化すればマスキングテープを除去する。
【００５６】
ちなみに、このように形成した大版タイル付きコンクリートパネル１をストックする場合には、４段重ねまでとしてねじれや反りに留意して行い、大版タイル３の表面３ｅには緩衝材を配置して傷が付かないようにする。
【００５７】
なお、本発明は大版タイル以外の石貼りパネル等の装飾板に適用することも可能である。
【図面の簡単な説明】
【００５８】
【図１】本発明にかかる大版タイル付きコンクリートパネルの実施形態を示す部分拡大断面図。
【図２】図１に示す大版タイル付きコンクリートパネルの大版タイルの組み立て要領を示す説明図。
【図３】図１に示す大版タイル付きコンクリートパネルの大版タイルの組立図。
【図４】図１に示す大版タイル付きコンクリートパネルの施工法を示す説明図であり、（ａ）は大版パネルを型枠に敷設した状態の図、（ｂ）は型枠に配筋した状態の図、（ｃ）は型枠にコンクリートを打設した状態の図、（ｄ）は脱型した状態の図。
【符号の説明】
【００５９】
１  大版タイル付きコンクリートパネル
２  コンクリート躯体
３  大版タイル
３ａ  裏面
３ｂ  環状溝
４  アンカー用ボルト（定着用アンカー）
４ａ  頭部（係止部）
５  ナット
６  バックガード（アンカー取付板）
６ａ  環状溝
７  リングアンカー（環状の補強材）
１０  絶縁層
【図１】
2008267087.tif 000003
【図２】
2008267087.tif 000004
【図３】
2008267087.tif 000005
【図４】
2008267087.tif 000006